(57)【特許請求の範囲】
【請求項１】
撮像装置、映像記録装置及び表示装置に接続可能な映像切替制御装置であって、
撮像装置と、当該撮像装置の映像を録画する映像記録装置との対応関係を記憶する記憶手段と、
前記映像記録装置を制御する操作入力を受け付けた場合、前記記憶手段に記憶された対応関係を参照し、前記表示装置に出力している映像信号の入力元となる撮像装置に対応する映像記録装置を検索する検索手段と、
前記検索手段による検索の結果、前記検索手段により検索された映像記録装置に対して、前記操作入力に応じた制御信号を出力する制御手段と
を備える映像切替制御装置。
【請求項２】
請求項１に記載の映像切替制御装置であって、
前記操作入力として再生指示が入力された場合、前記制御手段は、前記検索手段により検索された映像記録装置に対して再生を指示する制御信号を出力し、前記検索された映像記録装置から入力される映像信号を前記表示装置に出力する映像切替制御装置。
【請求項３】
請求項１又は２に記載の映像切替制御装置であって、
前記操作入力として録画指示が入力された場合、前記制御手段は、前記検索手段により検索された映像記録装置に対して、録画を指示する制御信号を出力する映像切替制御装置。
【請求項４】
請求項１ないし３のいずれか一項に記載の映像切替制御装置であって、
前記操作入力として、前記表示装置に出力している映像信号の入力元となる撮像装置の映像の記録の検索指示が入力された場合、前記制御手段は、前記検索手段により検索された映像記録装置に対して、前記検索するための制御信号とその記録情報を表示させる制御信号とを出力する映像切替制御装置。
【請求項５】
請求項１ないし３のいずれか一項に記載の映像切替制御装置であって、
前記記憶手段は、操作入力により設定された対応関係を記憶する映像切替制御装置。
【請求項６】
撮像装置、映像記録装置及び表示装置に接続可能な映像切替制御装置の映像切替制御方法であって、
前記映像記録装置を制御する操作入力を受け付けた場合、予め記憶手段に記憶された、撮像装置と当該撮像装置の映像を録画する映像記録装置との対応関係を参照し、前記表示装置に出力している映像信号の入力元となる撮像装置に対応する映像記録装置を検索するステップと、
前記検索ステップによる検索の結果、前記検索ステップにより検索された映像記録装置に対して、前記操作入力に応じた制御信号を出力するステップと
を有する映像切替制御方法。
【発明の詳細な説明】
【技術分野】
【０００１】
本発明は、撮像装置、映像記録装置及び表示装置に接続可能な映像切替制御装置及び映像切替制御方法に関する。
【背景技術】
【０００２】
従来、大規模監視システムでは、映像切替制御装置として、マトリクススイッチャが設けられている。このマトリクススイッチャは、入力される映像を外部の信号から複雑に切換えること（自動配線）が可能な装置である。通常、マトリクススイッチャには、複数台の撮像装置（カメラ）が接続される。また、カメラで監視している映像を記録映像として残しておきたい場合、マトリクススイッチャに入力されているカメラの映像出力を、時間とともに記録可能なタイムラプスＶＴＲや通常の映像記録装置（レコーダ）等の記録再生装置に入力し、録画処理を行う。
【０００３】
また、その録画映像を再生して確認する場合、記録再生装置を直接表示装置（モニタ）に接続し、この記録再生装置を操作して録画映像を再生し、モニタに表示する。あるいは、マトリクススイッチャが再生映像入力用端子を有する場合、その端子に記録再生装置からの映像を入力することによって、マトリクススイッチャに接続されているモニタに再生映像を表示させる（例えば、特許文献１参照）。
【０００４】
また、複数のビデオ入力装置の中から、１つの入力装置を選択して自動的に切り換える際、入力装置から供給される信号の有無を決定し、信号が検出された入力装置を選択する自動ビデオマルチプレクサが知られている（例えば、特許文献２参照）。
【特許文献１】特開平１１−３３１８２２号公報
【特許文献２】特開２００１−８４１２６号公報
【発明の開示】
【発明が解決しようとする課題】
【０００５】
しかしながら、上記の映像切替制御装置にあっては、例えば、特定のカメラの録画映像を再生してモニタで確認しようとする場合、そのカメラの映像がどのレコーダに録画されているのかを、映像切替制御装置を用いて再生操作を行う使用者が事前に把握している必要があった。すなわち、カメラとレコーダとの対応関係を使用者が把握している必要があった。
【０００６】
本発明は、上記従来の事情に鑑みてなされたものであって、撮像装置と映像記録装置との対応関係を意識することなく、所望の撮像装置の映像信号を記録する映像記録装置の制御が可能な映像切替制御装置及び映像切替制御方法を提供することを目的とする。
【課題を解決するための手段】
【０００７】
本発明は、第１に、撮像装置、映像記録装置及び表示装置に接続可能な映像切替制御装置であって、撮像装置と、当該撮像装置の映像を録画する映像記録装置との対応関係を記憶する記憶手段と、前記映像記録装置を制御する操作入力を受け付けた場合、前記記憶手段に記憶された対応関係を参照し、前記表示装置に出力している映像信号の入力元となる撮像装置に対応する映像記録装置を検索する検索手段と、前記検索手段による検索の結果、前記検索手段により検索された映像記録装置に対して、前記操作入力に応じた制御信号を出力する制御手段とを備える映像切替制御装置が提供されるものである。
【０００８】
この構成により、使用者は、どの映像記録装置が所望の撮像装置の撮像映像を記録するかを意識せずに、表示装置に表示されている映像を閲覧している状態で、その映像を撮像する撮像装置の映像を記録する映像記録装置に対する制御指示を与え、確認することができる。
【０００９】
本発明は、第２に、上記第１に記載の映像切替制御装置であって、前記操作入力として再生指示が入力された場合、前記制御手段は、前記検索手段により検索された映像記録装置に対して再生を指示する制御信号を出力し、前記検索された映像記録装置から入力される映像信号を前記表示装置に出力する。
【００１０】
この構成により、映像記録装置からの信号を表示装置に出力するように切り替えるので、再生指示を与えるだけで、その再生映像を表示装置で閲覧することができる。
【００１１】
本発明は、第３に、上記第１又は第２に記載の映像切替制御装置であって、前記操作入力として録画指示が入力された場合、前記制御手段は、前記検索手段により検索された映像記録装置に対して、録画を指示する制御信号を出力する。
【００１２】
この構成により、使用者は、どの映像記録装置が所望の撮像装置の撮像映像を記録するかを意識せずに、表示装置に表示されている映像を閲覧している状態で、その映像を撮像する撮像装置の映像を記録する映像記録装置に対して録画指示を与えることができる。
【００１３】
本発明は、第４に、上記第１ないし第３のいずれかに記載の映像切替制御装置であって、前記操作入力として、前記表示装置に出力している映像信号の入力元となる撮像装置の映像の記録の検索指示が入力された場合、前記制御手段は、前記検索手段により検索された映像記録装置に対して、前記検索するための制御信号とその記録情報を表示させる制御信号とを出力する。
【００１４】
この構成により、使用者は、表示装置に表示されている映像を撮像する撮像装置に対して記録の検索指示を行うことができる。
【００１５】
本発明は、第５に、上記第１ないし第３のいずれかに記載の映像切替制御装置であって、前記記憶手段は、操作入力により設定された対応関係を記憶する。
【００１６】
この構成により、使用者が任意にカメラとレコーダの組み合わせを登録することができる。
【００１７】
本発明は、第６に、撮像装置、映像記録装置及び表示装置に接続可能な映像切替制御装置の映像切替制御方法であって、前記映像記録装置を制御する操作入力を受け付けた場合、予め記憶手段に記憶された、撮像装置と当該撮像装置の映像を録画する映像記録装置との対応関係を参照し、前記表示装置に出力している映像信号の入力元となる撮像装置に対応する映像記録装置を検索するステップと、前記検索ステップによる検索の結果、前記検索ステップにより検索された映像記録装置に対して、前記操作入力に応じた制御信号を出力するステップとを有する映像切替制御方法が提供されるものである。
【００１８】
この方法により、使用者は、どの映像記録装置が所望の撮像装置の撮像映像を記録するかを意識せずに、表示装置に表示されている映像を閲覧している状態で、その映像を撮像する撮像装置の映像を記録する映像記録装置に対する制御指示を与え、確認することができる。
【発明の効果】
【００１９】
本発明によれば、撮像装置と映像記録装置との対応関係を意識することなく、所望の撮像装置の映像信号を記録する映像記録装置の制御が可能な映像切替制御装置及び映像切替制御方法を提供することができる。
【発明を実施するための最良の形態】
【００２０】
本発明の実施形態に係る映像切替制御装置、映像切替制御方法および映像監視システムについて図面を参照しながら説明する。本実施形態の映像切替制御装置は、映像出力装置であるモニタと映像入力装置であるカメラやレコーダとの接続を切り替えるマトリクススイッチャに適用される。
【００２１】
図１は本発明の実施形態に係るマトリクススイッチャが搭載された映像監視システムの構成を示すブロック図である。この映像監視システムは、映像の入力を切り替えるマトリクススイッチャ１、このマトリクススイッチャ１に対して操作指示を行うコントローラ２、映像を表示するモニタ３、撮影した映像を出力する複数のカメラ４ａ１〜４ｘ１６、およびカメラ４ａ１〜４ｘ１６で撮影された映像を録画するレコーダ５ａ〜５ｘを有して構成される。ここでは、レコーダ５ａには、カメラ４ａ１、４ａ２、・・・、４ａ１６の計１６台のカメラが接続されている。同様に、レコーダ５ｂには、カメラ４ｂ１、４ｂ２、・・・、４ｂ１６の計１６台のカメラが接続され、レコーダ５ｘ（ｘは任意の数）には、カメラ４ｘ１、４ｘ２、・・・、４ｘ１６の計１６台のカメラが接続されている。
【００２２】
マトリクススイッチャ１は、複数のカメラ４ａ１〜４ｘ１６およびレコーダ５ａ〜５ｘから入力される映像を切り替えるクロスポイント部１ａ、カメラやレコーダの動作を制御したり、モニタ３の設定を変更する制御部１ｂ、及び記憶部１ｃを備える。また、マトリクススイッチャ１は、例えば、箱形の筐体を有しており、その裏面パネルには、複数のカメラやレコーダからの信号ケーブルが接続される複数の映像入力端子が設けられている。具体的に、カメラ４ａ１〜４ａ１６の各映像出力端子は信号ケーブルを介してレコーダ５ａの各映像入力端子に接続されており、カメラ４ｂ１〜４ｂ１６の各映像出力端子は信号ケーブルを介してレコーダ５ｂの各映像入力端子に接続されており、カメラ４ｘ１〜４ｘ１６の各映像出力端子は信号ケーブルを介してレコーダ５ｘの各映像入力端子に接続されている。
【００２３】
クロスポイント部１ａは制御手段の一例として動作し、複数のカメラおよびレコーダの中から、映像の入力先を選択する切替スイッチを有しており、選択された入力先であるカメラあるいはレコーダからの映像をモニタ３に出力する。制御部１ｂは、検索手段及び制御手段の一例として動作し、周知のＣＰＵ、ＲＯＭ、ＲＡＭ等を有しており、ＣＰＵはＲＯＭに格納された後述する制御プログラムを実行する。記憶部１ｃには、後述するように、カメラとその映像を録画するレコーダとの対応関係を示すカメラ・レコーダ対応テーブルが記憶されている。
【００２４】
制御部１ｂは、コントローラ２からレコーダを制御する操作入力を受け付けた場合、記憶部１ｃに記憶された対応関係を参照し、モニタに出力している映像信号の入力元となるカメラに対応するレコーダを検索し、クロスポイント部１ａを切り替えて検索手段により検索されたレコーダに対して、操作入力に応じた制御信号を出力するものである。
【００２５】
コントローラ２は、レバー２ａおよび操作キー２ｂを有し、マトリクススイッチャ１の設定を変更したり、このマトリクススイッチャ１に接続されているカメラやレコーダを制御するための操作指示を行う。具体的に、カメラによる撮像動作やレコーダによる再生動作を指示することが可能である。また、後述するカメラ・レコーダ対応テーブルを設定可能である。モニタ３は、クロスポイント部１ａを経由して出力されるカメラやレコーダからの映像を表示する。
【００２６】
図２は本発明の実施形態における映像監視システムの説明図である。オペレータ１０は、カメラ４ａ１の映像をモニタ３で監視している状態において、レコーダ５ａの再生を指示する場合、コントローラ２の操作キー２ｂで「再生」キーを操作する。この再生操作に応じて、マトリクススイッチャ１は、モニタ３に出力される映像の入力先をカメラ４ａ１からレコーダ５ａに切り替える。即ち、レコーダ５ａを制御し、レコーダ５ａに録画されているカメラ４ａ１の映像を再生する。この後、モニタ３に表示される映像をカメラ４ａ１の映像からレコーダ５ａの録画映像に切り替える。再び、カメラ４ａ１の映像に戻す指示を行う場合、コントローラ２の操作キー２ｂで「撮像」キーを操作する。
【００２７】
図３は本発明の実施形態に係る映像切替処理手順を示すフローチャートである。この処理プログラムは、マトリクススイッチャ１の制御部１ｂ内のＲＯＭ（図示せず）に格納されており、同じく制御部１ｂ内のＣＰＵ（図示せず）によって実行される。
【００２８】
予め、オペレータは、現在のカメラおよびレコーダの接続状況を把握しておく。そして、コントローラ２を操作し、記憶部１ｃに記憶されているカメラ・レコーダ対応テーブル（図４参照）をモニタ３の画面上に表示する。モニタ３の画面上にカメラ・レコーダ対応テーブルが表示されている状態で、オペレータは、コントローラ２の前面パネルに配置された各種操作キー２ｂを押下し、事前にカメラ・レコーダ対応テーブルを設定して記憶部１ｃに登録しておく。このカメラ・レコーダ対応テーブルの詳細については後述する。
【００２９】
尚、カメラ・レコーダ対応テーブルを設定する際、コントローラの前面パネルに配置された各種操作キーを用いる代わりに、マトリクススイッチャ１に接続可能なパーソナルコンピュータ等を用いてキーボード入力によって設定してもよい。あるいは、予めメモりカード等の記憶媒体にカメラ・レコーダ対応テーブルを作成しておき、この記憶媒体をマトリクススイッチャに挿入して読み込ませることにより設定してもよい。
【００３０】
このように、カメラ・レコーダ対応テーブルが登録されている状態において、まず、モニタ３に特定のカメラの映像を出力する操作を行う（ステップＳ１）。このとき、映像出力が行われるカメラの番号を制御部１ｂ内のＲＡＭ（図示せず）に一時的に保持する。ここでは、特定のカメラとして、カメラ４ａ１の映像が出力される場合を示すが、任意のカメラの映像でもよいことは勿論である。そして、コントローラ２による再生操作（「再生」キーの操作）が行われたか否かを判別する（ステップＳ２）。再生操作が行われない場合、本処理を終了し、モニタ３へのカメラ４ａ１の映像出力を継続する。
【００３１】
一方、コントローラ２による再生操作が行われた場合、記憶部１ｃに記憶されているカメラ・レコーダ対応テーブルを検索し（ステップＳ３）、カメラ４ａ１の映像が録画されているレコーダ５ａが見つかったか否かを判別する（ステップＳ４）。対応するレコーダが見つからなかった場合、コントローラ２による再生操作を無視して本処理を終了する。尚、このとき、アラームや表示により、対応するレコーダが存在しない旨をオペレータに報知するようにしてもよい。
【００３２】
一方、対応するレコーダが見つかった場合、このレコーダ５ａに対し、カメラ４ａ１の録画映像を再生する制御を行う（ステップＳ５）。この再生制御では、制御部１ｂからレコーダ５ａに再生を開始させるための指示信号が出力される。そして、レコーダ５ａの再生が開始すると、クロスポイント部１ａの切替制御を行い、モニタ３に出力する映像信号をレコーダ５ａから出力される映像信号に切り替えることにより、モニタ３に表示される映像を、カメラ４ａ１の映像からレコーダ５ａの録画映像に切り替える（ステップＳ６）。これにより、オペレータ１０は再生されたカメラ４ａ１の映像を確認できる。尚、このとき、レコーダ５ａにおけるカメラ４ａ１の映像の録画はそのまま継続される。この後、本処理を終了する。
【００３３】
図４は本発明の実施形態におけるカメラとレコーダとの対応テーブルを示す図である。このカメラ・レコーダ対応テーブルでは、縦方向にレコーダ番号が列挙され、横方向にそのレコーダに映像を出力しているカメラの番号が列挙されている。具体的に、レコーダ５ａにカメラ４ａ１、４ａ２、・・・、４ａ１６が録画され、レコーダ５ｂにカメラ４ｂ１、４ｂ２、・・・、４ｂ１６が録画され、・・・、レコーダ５ｘにカメラ４ｘ１、４ｘ２、・・・、４ｘ１６が録画される設定となっている。尚、本実施形態では、１台のレコーダ当たり１６台のカメラが接続されているが、カメラの接続台数はレコーダやマトリクススイッチャの仕様に応じて任意でよい。また、レコーダはｘ台接続されており、マトリクススイッチャの仕様に応じて任意の台数接続可能である。
【００３４】
上記映像切替処理では、オペレータがモニタ３でカメラの映像を監視している状態で、レコーダの再生操作が行われた場合を示したが、コントローラは、録画操作や、監視しているカメラのレコード（記録）の検索操作が入力されてもよい。この場合、制御部１ｂは、モニタ３に表示されているカメラのレコーダに対して録画を開始するための制御信号を出力したり、検索するための制御信号を出力したりする。
【００３５】
このような本発明の実施形態に係る映像切替制御装置及び映像切替制御方法によれば、使用者は、どの映像記録装置が所望の撮像装置の撮像映像を記録するかを意識せずに、表示装置に表示されている映像を閲覧している状態で、その映像を撮像する撮像装置の映像を記録する映像記録装置に対する制御指示を与えることができる。
【００３６】
なお、カメラ・レコーダ対応テーブルとして、上記の実施形態では、図４に示すように、各レコーダの番号を縦方向（行方向）に設定し、各レコーダに接続されている複数のカメラの番号を横方向（列方向）に設定したテーブルを作成していたが、カメラの番号を行方向に設定し、各カメラに接続されているレコーダの番号を列方向に設定したテーブルを作成してもよい。上記実施形態では、いずれのテーブルを用いても検索が可能である。
【００３７】
また、上記実施形態では、マトリクススイッチャに１台のモニタが接続される場合を示したが、複数台のモニタが接続されてもよく、この場合、クロスポイント部は入力先である複数のカメラやレコーダと、出力先である複数のモニタとの組み合わせを選択することになる。例えば、レコーダ毎にモニタが接続される場合、レコーダ単位に映像を監視可能である。また、モニタはマルチ画面を有しており、各分割画面に異なる映像を表示するようにしてもよい。また、上記実施形態では、１台のレコーダに複数台のカメラが接続される場合を示したが、１台のカメラに複数台のレコーダが接続されてもよい。
【産業上の利用可能性】
【００３８】
本発明は、撮像装置と映像記録装置との対応関係を意識することなく、所望の撮像装置の映像信号を記録する映像記録装置の制御が可能な効果を有し、映像切替制御装置及び映像切替制御方法等に有用である。
【図面の簡単な説明】
【００３９】
【図１】本発明の実施形態に係るマトリクススイッチャが搭載された映像監視システムの構成を示すブロック図
【図２】本発明の実施形態における映像監視システムの説明図
【図３】本発明の実施形態に係る映像切替処理手順を示すフローチャート
【図４】本発明の実施形態におけるカメラとレコーダとの対応テーブルを示す図
【符号の説明】
【００４０】
１  マトリクススイッチャ
１ａ  クロスポイント部
１ｂ  制御部
１ｃ  記憶部
２  コントローラ
３  モニタ
４ａ１、４ａ２、４ａ１６、４ｂ１、４ｂ２、４ｂ１６、４ｘ１、４ｘ２、４ｘ１６  カメラ
５ａ、５ｂ、５ｘ  レコーダ
【図１】
0004699144.tif 000002
【図２】
0004699144.tif 000003
【図３】
0004699144.tif 000004
【図４】
0004699144.tif 000005